(57)【特許請求の範囲】
【請求項１】
仮設足場を構成する上下部係合ボックス体１１・１２付き支柱１０に取付けるべく少なくとも一端にクサビ３が垂設されると共に、所要個所に係合ボックス体１８付き分岐用支柱１７を連結せしめるべくホゾ４が立設されてなる張り出しブラケットなどの仮設足場部材において、上記ホゾ４には所定間隔をおいて上下一対の上下部掛止孔５２・５３が連通状に形成されると共に、該上下部掛止孔５２・５３に各々掛止ピン５７を介して掛止自在とされた高さ調整用カラ−５５が嵌装されてなり、上記高さ調整用カラ−５５を適宜上下部掛止孔５２・５３に掛止せしめることにより連結すべき分岐用支柱１７の係合ボックス体１８を対応する支柱１０の上部係合ボックス体１１と同高レベルに調整せしめるべく構成されてなることを特徴とする、張り出しブラケットなどの仮設足場部材。
【発明の詳細な説明】
【０００１】
【発明の属する技術分野】
本発明は、仮設足場を構成する係合ボックス付き支柱に取付けて使用する張り出しブラケットや梁わく等の仮設足場部材に関する。
【０００２】
【従来の技術、及び発明が解決しようとする課題】
従来より、この種の仮設足場部材、例えば張り出しブラケットとしては、図６乃至図８に示すものが知られており、これを同図に基づいて説明する。
即ち、同図中、１ａは略三角形状とされた金属パイプ製の仮設足場用張り出しブラケット、２は該張り出しブラケット１ａを構成する所要の長さを備えた水平部材、３は該水平部材２の一端部に垂設されたクサビ、４は同他端部に立設された所要高の掛止孔５付きホゾ、６は該ホゾ４の基端部に環状形成されたストッパ−、７は水平部材２のホゾ４側よりクサビ３側方向に向けて斜め下向き状に取付けられた補剛材、８は該補剛材７の自由端に取付けられた当て金具、９は補剛材７の自由端と水平部材２とを連結せしめる垂直部材である。
【０００３】
その他、１０は所要の長さと径を備えた金属パイプ製支柱、１１・１２は前記クサビ３を係合せしめるべく該支柱１０の上部と下部との外周面に各々形成された上部係合ボックス体と下部係合ボックス体で、該各上下部係合ボックス体１１・１２は各々２個一対の上段ボックス部材１３・１４と下段ボックス部材１５・１６とが所定間隔をおいて互い違いに放射状に形成されている。１７は前記ホゾ４に掛止ピン（図示略）を介して嵌着掛止自在とされた短尺状の金属パイプ製分岐用支柱、１８は該分岐用支柱１７の上部外周面に形成された係合ボックス体で、該係合ボックス体１８は２個一対の上段ボックス部材１９と下段ボックス部材２０とが所定間隔をおいて互い違いに放射状に形成されている。そして、上記分岐用支柱１７の長さは、前記支柱１０における下部係合ボックス体１２の下段ボックス部材１６に張り出しブラケット１ａを取付けたさいに、係合ボックス体１８の上下段ボックス部材１９・２０が前記上部係合ボックス体１１の上下段ボックス部材１３・１５に各々対応すべく所要の長さに設定せしめられている。２１は支柱１０のジャッキベ−ス、２２はクサビ付きブラケット、２３はクサビ付き手摺、２４は建築物などの外壁面、２５は該外壁面２４における出張り部を示す。
【０００４】
そして、上述の如く構成された従来例により出張り部２５を有する建築物などの外壁面２４に沿って仮設足場を構築せしめるさいには、図７に示すように、先ず、下端部にジャッキベ−ス２１を取付けた支柱１０を外壁面２４に沿って所定間隔毎に２列に並列せしめ、各列の左右方向（外壁面２４に沿う方向をいう）に相隣る支柱１０を手摺（図示略）により連結せしめると共に、前後方向（外壁面２４に対して直交する方向をいう）に相隣る支柱１０をブラケット２２により連結せしめる。そして、出張り部２５の下端に接近すると、後方支柱１０の下部ボックス体１２を構成する下段ボックス部材１６にクサビ３を係合せしめることにより張り出しブラケット１ａを取付けると共に、ホゾ４に分岐用支柱１７を嵌合せしめ、掛止ピン（図示略）により掛止せしめて立設する。このさい、分岐用支柱１７の係合ボックス体１８を構成する上下段ボックス部材１９・２０は、後方支柱１０における上部係合ボックス体１１に各々対応せしめられている
。分岐用支柱１７の連結が完了すると、該分岐用支柱１７および後方の支柱１０に順次支柱１０を連結すると共に、対応する上部係合ボックス体１１及び係合ボックス体１８の下段ボックス部材１５・２０にクサビを介して手摺２３を取付け、所要高の仮設足場を構築せしめるものである（図６及び図７参照）。
【０００５】
ところで、上述の如く構成された従来例は、図６及び図７に示すように、張り出しブラケット１ａをクサビ３でもって支柱１０における下部係合ボックス体１２の下段ボックス部材１６に取付けるさいには、連結すべき分岐用支柱１７の上下段ボックス１９・２０を各々対応する上部係合ボックス体１１の上下段ボックス部材１３・１５と同高レベルに位置せしめて手摺２３などを容易に取付けることが出来るものである。
しかしながら、図８に示すように、支柱１０の向きが異なる場合においては、張り出しブラケット１ａをクサビ３でもって下部係合ボックス体１２の上段ボックス部材１４に取付けざるを得ないものとなり、ひいては、上段ボックス部材１４の高さに応じて分岐用支柱１７が必然的に上方に突出するものである。このため、分岐用支柱１７の下段ボックス部材２０を支柱１０における上部係合ボックス体１１の下段ボックス部材１５に対応せしめることが出来ないものであって、仮設足場の組立てに支障を来たし、極めて使い勝手の悪いものとなっていた。
【０００６】
上記従来例の問題点を解決するものとして、図９及び図１０に示すように、ホゾ４に適宜嵌合せしめるべく上段ボックス部材１３・１４と同長の高さ調整用カラ−２６がチェン２７を介し付設された張り出しブラケット１ｂが提案されている。
なお、その他の構成は上記従来例と同一であり、同一符号は同一部分を示す。
【０００７】
そして、上述の如く構成された従来例は、張り出しブラケット１ｂをクサビ３でもって支柱１０における下部係合ボックス体１２の下段ボックス部材１６に係合せしめることにより支柱１０に取付け、そのホゾ４に高さ調整用カラ−２６を嵌合せしめたのち、分岐用支柱１７を嵌合して立設せしめ、対応する下段ボックス部材１５・２０どうしを同高レベルに位置せしめるものである（図９参照）。逆に、張り出しブラケット１ｂを支柱１０における下部係合ボックス体１２の上段ボックス部材１４に係合して取付けるさいには、高さ調整用カラ−２６を嵌合せしめることなくホゾ４に直接分岐用支柱１７を嵌合して立設せしめ、対応する上下段ボックス部材１３・１５・１９・２０どうしを同高レベルに位置せしめるものである（図１０参照）。
【０００８】
ところで、上述の如く構成された従来例は、支柱１０に対する張り出しブラケット１ｂの取付け位置に拘らず、高さ調整用カラ−２６を介して分岐用支柱１７の高さを適宜調整せしめ、常に対応する上下段ボックス部材１３・１５・１９・２０どうしを同高レベルに位置せしめることが出来る反面、張り出しブラケット１ｂの取付け位置に応じて高さ調整用カラ−２６を嵌脱しなければならず、極めて面倒で煩しいものとなっていた。また、高さ調整用カラ−２６は単にチエン２７でもって張り出しブラケット１ｂに連結されているにすぎないものであるから、不使用時には図１０に示すように下方に垂れ下り、極めて見苦しいのみならず、場合によってはチエン２７の損傷により落下するなどのおそれがあり、安全性の面において問題があるものである。
【０００９】
本発明は、かかる従来例の問題点を解決し、分岐用支柱の高さを容易に、しかも、迅速、かつ確実に調整せしめ、対応する上下段ボックス部材どうしを常に同高レベルに位置せしめることが出来る、極めて使い勝手のよい張り出しブラケットなどの仮設足場部材を提供しようとするものである。
【００１０】
【課題を解決するための手段】
即ち、本発明は、仮設足場を構成する上下部係合ボックス体１１・１２付き支柱１０に取付けるべく少なくとも一端にクサビ３が垂設されると共に、所要個所に係合ボックス体１８付き分岐用支柱１７を連結せしめるべくホゾ４が立設されてなる張り出しブラケットなどの仮設足場部材において、上記ホゾ４には所定間隔をおいて上下一対の上下部掛止孔５２・５３が連通状に形成されると共に、該上下部掛止孔５２・５３に各々掛止ピン５７を介して掛止自在とされた高さ調整用カラ−５５が嵌装されてなり、上記高さ調整用カラ−５５を適宜上下部掛止孔５２・５３に掛止せしめることにより連結すべき分岐用支柱１７の係合ボックス体１８を対応する支柱１０の上部係合ボックス体１１と同高レベルに調整せしめるべく構成されてなることを特徴とする、張り出しブラケットなどの仮設足場部材を要旨とするものである。
【００１１】
【発明の実施の形態】
以下に、本発明の実施の形態を図面に示す一実施例に基づいて説明する。
図１乃至図５は本発明の一実施例を示すもので、同図中、５２・５３は張り出しブラケット５１を構成するホゾ４の基端がわに上下に食違い状に形成された上部掛止孔と下部掛止孔、５４は該上下部掛止孔５２・５３を連通せしめるべく倒Ｌ字形状に形成されたガイド溝孔で、上部掛止孔５２と下部掛止孔５３との間隔は支柱１０における下部係合ボックス体１２の上下段ボックス部材１４・１６の高さと同長に形成されている。５５はホゾ４に嵌合された高さ調整用カラ−、５６は該高さ調整用カラ−５５に形成されたピン挿通孔、５７は該ピン挿通孔５６を通して上下部掛止孔５２・５３に各々挿通掛止自在とされた掛止ピンで、該掛止ピン５７はその一端部を折曲せしめることにより高さ調整用カラ−５５の外周面に抱持支持せしめられている。その他は従来例と同一であり、同一符号は同一部分を示す。
【００１２】
そして、上述の如く構成された実施例は、クサビ３を下部係合ボックス体１２の下段ボックス部材１６に係合せしめ、張り出しブラケット５１を支柱１０に取付けると共に、掛止ピン５７を上部掛止孔５２に掛止せしめて高さ調整用カラ−５５を所要の高さに調整せしめる。しかるのち、ホゾ４に分岐用支柱１７を嵌合して立設せしめ、対応する下段ボックス部材１５・２０どうしを同高レベルに位置せしめる（図３及び図４参照）。
逆に、張り出しブラケット５１を下部係合ボックス体１２の上段ボックス部材１４に取付けるさいには、クサビ３を上段ボックス部材１４に係合せしめて支柱１０に取付けると共に、掛止ピン５７をガイド溝孔５４に沿って下降せしめ、下部掛止孔５３に掛止せしめる。しかるのち、ホゾ４に分岐用支柱１７を嵌合せしめて立設せしめ、対応する上段ボックス部材１３・１９どうしを同高レベルに位置せしめるものである（図５参照）。
【００１３】
なお、上記実施例において、ホゾ４には上下部掛止孔５２・５３が形成されているが、高さ調整用カラ−５５の高さをさらに微調整せしめるべくその個数を増加せしめてもよいものである。また、仮設足場部材として張り出し用ブラケット５１が示されているが、これに限定されるものでなく、梁わく等他の仮設足場部材にも適用せしめることが出来るものである。
【００１４】
【発明の効果】
本発明によれば以上の次第で、張り出しブラケット５１などの仮設足場部材を構成するホゾ４には所定間隔をおいて上下一対の上下部掛止孔５２・５３が連通状に形成されると共に、該上下部掛止孔５２・５３に各々掛止ピン５７を介して掛止自在とされた高さ調整用カラ−５５が嵌装されてなり、上記高さ調整用カラ−５５を適宜上下部掛止孔５２・５３に掛止せしめることにより連結すべき分岐用支柱１７の係合ボックス体１８を対応する支柱１０の上部係合ボックス体１１と同高レベルに調整せしめるべく構成されているから、常に高さ調整用カラ−５５をホゾ４に嵌合保持せしめつつ、支柱１０に対する張り出しブラケット５１などの取付け位置に応じてその高さを適宜調整せしめ、嵌合すべき分岐用支柱１７の高さを適正に位置せしめることにより対応する上下段ボックス部材１３・１５・１９・２０どうしを同高レベルに容易に、しかも、迅速かつ確実に位置せしめることが出来るものであって、極めて使い勝手がよいのみならず、高さ調整用カラ−５５がホゾ４より抜け落ちるおそれは全くなく、極めて安全に使用することが出来るものである。
【図面の簡単な説明】
【図１】本発明の一実施例を示す要部拡大分解斜視図である。
【図２】本発明の一実施例を示す要部拡大斜視図である。
【図３】実施例の張り出しブラケット５１を支柱１０における下部係合ボックス体１２の下段ボックス部材１６に取付けたさいにおける分岐用支柱１７の連結状態を示す側面図である。
【図４】実施例の張り出しブラケット５１を支柱１０における下部係合ボックス体１２の下段ボックス部材１６に取付けたさいにおける分岐用支柱１７の連結状態を示す平面図である。
【図５】実施例の張り出しブラケット５１を支柱１０における下部係合ボックス体１２の上段ボックス部材１４に取付けたさいにおける分岐用支柱１７の連結状態を示す側面図である。
【図６】従来例の張り出しブラケット１ａを支柱１０における下部係合ボックス体１２の下段ボックス部材１６に取付けたさいにおける分岐用支柱１７の連結状態を示す側面図である。
【図７】従来例の張り出しブラケット１ａの使用状態を示す側面図である。
【図８】従来例の張り出しブラケット１ａを支柱１０における下部係合ボックス体１２の上段ボックス部材１４に取付けたさいにおける分岐用支柱１７の連結状態を示す側面図である。
【図９】他の従来例の張り出しブラケット１ｂを支柱１０における下部係合ボックス体１２の下段ボックス部材１６に取付けたさいにおける分岐用支柱１７の連結状態を示す側面図である。
【図１０】他の従来例の張り出しブラケット１ｂを支柱１０における下部係合ボックス体１２の上段ボックス部材１４に取付けたさいにおける分岐用支柱１７の連結状態を示す側面図である。
【符号の説明】
３    クサビ
４    ホゾ
１０  支柱
１１  上部係合ボックス体
１２  下部係合ボックス体
１３  上段ボックス部材
１４  上段ボックス部材
１５  下段ボックス部材
１６  下段ボックス部材
１７  分岐用支柱
１８  係合ボックス体
１９  上段ボックス部材
２０  下段ボックス部材
５１  張り出しブラケット
５２  上部掛止孔
５３  下部掛止孔
５５  高さ調整用カラ−
５７  掛止ピン
【図１】
0004387568.tif 000002
【図２】
0004387568.tif 000003
【図３】
0004387568.tif 000004
【図４】
0004387568.tif 000005
【図５】
0004387568.tif 000006
【図６】
0004387568.tif 000007
【図７】
0004387568.tif 000008
【図８】
0004387568.tif 000009
【図９】
0004387568.tif 000010
【図１０】
0004387568.tif 000011